(57)【要約】【課題】  リクライニング調整によって背凭れ体の上部側が大きく揺動せずに済み、幼児が座った自転車用幼児座席の重心の前後変動が小さくなり、自転車用幼児座席を装着した自転車がふらつきにくく安定になるようにする。【解決手段】  座部１を有する座席本体２と背凭れ部３を有する背凭れ体４とを別体に備え、背凭れ体４に背凭れ部３下端から前方突出した底壁１６が設けられ、背凭れ体４の上部側が座席本体２に対して左右方向の支軸２０廻りに揺動自在に支持され、座席本体２の座部１と背凭れ体４の底壁１６とが前後移動自在に重合され、背凭れ体４の底壁１６を座席本体２の座部１に対して前記支軸２０廻りに前後移動調整自在に係合保持する背凭れ係合機構２３が設けられている。【選択図】図４
2010269780.tif 000002
【特許請求の範囲】
【請求項１】
座部（１）を有する座席本体（２）と背凭れ部（３）を有する背凭れ体（４）とを別体に備え、背凭れ体（４）に背凭れ部（３）下端から前方突出した底壁（１６）が設けられ、背凭れ体（４）の上部側が座席本体（２）に対して左右方向の支軸（２０）廻りに揺動自在に支持され、座席本体（２）の座部（１）と背凭れ体（４）の底壁（１６）とが前後移動自在に重合され、背凭れ体（４）の底壁（１６）を座席本体（２）の座部（１）に対して前記支軸（２０）廻りに前後移動調整自在に係合保持する背凭れ係合機構（２３）が設けられていることを特徴とする自転車用幼児座席。
【請求項２】
前記背凭れ係合機構（２３）を係合状態にロックする背凭れロック機構（２４）が設けられ、該背凭れロック機構（２４）はロック状態とロック解除状態とに片手で切り換え操作可能に構成されていることを特徴とする請求項１に記載の自転車用幼児座席。
【請求項３】
前記背凭れ係合機構（２３）は、座部（１）又は底壁（１６）の一方の重合面に前後方向に並んで設けられた複数の嵌合凹部（２７）又は嵌合凸部（２８）と、座部（１）又は底壁（１６）の他方に前後方向の中間部が横軸（１８５）廻りに揺動自在とされた揺動部材（１８６）と、揺動部材（１８６）の前後方向の一端側に突設されて、揺動部材（１８６）の前後方向の他端側を上下方向に移動させることにより嵌合凹部（２７）又は嵌合凸部（２８）に出退移動する嵌合凸部（２８）又は嵌合凹部（２７）とを有していることを特徴とする請求項１又は２に記載の自転車用幼児座席。
【請求項４】
前記背凭れロック機構（２４）は、揺動部材（１８６）の前後方向の他端側に前後移動自在に保持されたロック片（１９８）と、座部（１）又は底壁（１６）に下方突設されたストッパー片（１９９）とを有し、
ロック片（１９８）はストッパー片（１９９）に下側から接当して嵌合凸部（２８）又は嵌合凹部（２７）を嵌合凹部（２７）又は嵌合凸部（２８）に嵌合した状態にロックするロック位置と、ストッパー片（１９９）から外れて嵌合凸部（２８）又は嵌合凹部（２７）が嵌合凹部（２７）又は嵌合凸部（２８）から出退移動するのを許容するロック解除位置とに移動自在保持されていることを特徴とする請求項３に記載の自転車用幼児座席。
【請求項５】
ロック片（１９８）はロック用バネ部材（２０４）によりロック位置側に向けて付勢され、ロック片（１９８）をロック用バネ部材（２０４）の付勢に抗してロック解除位置側に移動したとき、ロック用バネ部材（２０４）の付勢力によりロック片（１９８）がストッパー片（１９９）の側壁面に押圧接当してロック片（１９８）がロック解除位置側に保持されるように構成されていることを特徴とする請求項４に記載の自転車用幼児座席。
【請求項６】
嵌合凸部（２８）又は嵌合凹部（２７）が嵌合凹部（２７）又は嵌合凸部（２８）に向けて移動する方向に揺動部材（１８６）を付勢する係合用バネ部材（２０５）が設けられていることを特徴とする請求項３〜５のいずれか１項に記載の自転車用幼児座席。
【請求項７】
前記背凭れ係合機構（２３）を係合状態（Ｘ３）と係合解除状態（Ｙ３）とに操作するための背凭れ操作具（１７６）が設けられ、背凭れ係合機構（２３）を係合状態（Ｘ３）に位置決めすると共に係合解除状態（Ｙ３）に位置決めする位置決め機構（１８１）が設けられていることを特徴とする請求項１に記載の自転車用幼児座席。
【請求項８】
前記背凭れ係合機構（２３）を操作するための背凭れ操作具（２５）が設けられ、該背凭れ係合機構（２３）を係合状態にロックする背凭れロック機構（２４）が設けられ、該背凭れロック機構（２４）をロック状態とロック解除状態とに切り換え操作するための切り換え操作具が前記背凭れ操作具（２５）で兼用されていることを特徴とする請求項１に記載の自転車用幼児座席。
【請求項９】
座席本体（２）は前記座部（１）の他に左右一対の本体側壁（１１）を有し、背凭れ体（４）は前記背凭れ部（３）と底壁（１６）との他に左右一対の背凭れ側壁（１７）を有し、座席本体（２）の左右一対の本体側壁（１１）と背凭れ体（４）の左右一対の背凭れ側壁（１７）とが左右に重合され、左右一対の背凭れ側壁（１７）が本体側壁（１１）に前記支軸（２０）廻りに揺動自在に支持されていることを特徴とする請求項１，７，８のいずれか１項に記載の自転車用幼児座席。
【請求項１０】
座席本体（２）の座部（１）と背凭れ体（４）の底壁（１６）とが前記支軸（２０）を支点とする円弧状に湾曲した重合面で互いに前後移動自在に重合され、前記背凭れ係合機構（２３）は、座部（１）又は底壁（１６）の一方の重合面に前記支軸（２０）廻りの円弧方向に並んで設けられた複数の嵌合凹部（２７）と、座部（１）又は底壁（１６）の他方に嵌合凹部（２７）に向けて出退移動自在に保持された嵌合凸部（２８）とを有し、嵌合凸部（２８）は底壁（１６）を座部（１）に対して前後移動調整自在に係合すべく複数の嵌合凹部（２７）に選択的に嵌合するように構成され、前記背凭れロック機構（２４）は、嵌合凸部（２８）を嵌合凹部（２７）に嵌合した状態にロックするように構成されていることを特徴とする請求項８に記載の自転車用幼児座席。
【請求項１１】
座部（１）又は底壁（１６）の他方に、前記嵌合凹部（２７）に対応して収納部（２９）が設けられ、収納部（２９）に支持ブロック（３２）が嵌合凹部（２７）に向けて上下移動自在に保持され、支持ブロック（３２）に前記嵌合凸部（２８）が支持ブロック（３２）の上下移動に伴って収納部（２９）から嵌合凹部（２７）に出退するように突設され、支持ブロック（３２）を嵌合凹部（２７）に向けて付勢する付勢部材（３５）が設けられ、前記背凭れロック機構（２４）は、収納部（２９）の嵌合凹部（２７）側に連通するように設けた係止凹部（３７）と、前記背凭れ操作具（２５）でロック位置（Ｘ１）とロック解除位置（Ｙ１）とに回動操作可能なロック部材（３８）とを備え、背凭れ操作具（２５）でロック部材（３８）をロック位置（Ｘ１）に回動したときに、ロック部材（３８）が係止凹部（３７）に係合することにより、嵌合凸部（２８）が嵌合凹部（２７）に嵌合した状態で支持ブロック（３２）が移動不能にロックされ、背凭れ操作具（２５）でロック部材（３８）をロック解除位置（Ｙ１）に回動したときに、ロック部材（３８）が係止凹部（３７）から外れることにより、支持ブロック（３２）が移動自在になって嵌合凸部（２８）が嵌合凹部（２７）から収納部（２９）内に後退可能とされていることを特徴とする請求項１０に記載の自転車用幼児座席。
【請求項１２】
前記背凭れ操作具（２５）は支持ブロック（３２）の下面側に配置され、背凭れ操作具（２５）とロック部材（３８）とで支持ブロック（３２）を上下に挟持すると共に、背凭れ操作具（２５）とロック部材（３８）とが支持ブロック（３２）に対して縦軸廻りに回動するように互いに連結され、背凭れ操作具（２５）を縦軸廻り回動することにより、ロック部材（３８）が背凭れ操作具（２５）に連動して縦軸廻りにロック位置（Ｘ１）とロック解除位置（Ｙ１）とに回動し、ロック部材（３８）がロック解除位置（Ｙ１）に回動した状態で背凭れ操作具（２５）を移動操作することにより支持ブロック（３２）が収納部（２９）を移動して嵌合凸部（２８）が嵌合凹部（２７）から外れるように構成されていることを特徴とする請求項１１に記載の自転車用幼児座席。
【請求項１３】
座席本体（２）の座部（１）と背凭れ体（４）の底壁（１６）とが支軸（２０）を支点とする円弧状に湾曲した重合面で互いに前後移動自在に重合され、前記背凭れ係合機構（２３）は、座席本体（２）の座部（１）又は背凭れ体（４）の底壁（１６）の一方の重合面に支軸（２０）廻りの円弧方向に並んで設けられた複数の係止ギア（１２４）と、座席本体（２）の座部（１）又は背凭れ体（４）の底壁（１６）の他方に係止ギア（１２４）に向けて出退移動可能に設けられた係合爪（１２７）とを有し、係合爪（１２７）は背凭れ底壁（１６）を座部（１）に対して前後調整自在に係合すべく複数の係止ギア（１２４）に選択的に噛み合うように構成され、前記背凭れロック機構（２４）は、係合爪（１２７）を係止ギア（１２４）に噛み合った状態にロックするように構成されていることを特徴とする請求項８に記載の自転車用幼児座席。
【請求項１４】
背凭れ体（４）が支軸（２０）と共に座席本体（２）に対して支軸（２０）廻りに揺動自在でかつ上下移動可能に支持され、背凭れ底壁（１６）が座席本体（２）の座部（１）上に前後移動自在に重合されていることを特徴とする請求項６，８，９のいずれかに記載の自転車用幼児座席。
【発明の詳細な説明】
【技術分野】
【０００１】
本発明は、自転車用幼児座席に関するものである。
【背景技術】
【０００２】
自転車用幼児座席には、座部を有する座席本体と背凭れ部を有する背凭れ体とを別体に備え、座席本体に対して背凭れ体を揺動調整できるようにして、背凭れ部をリクライニング可能に構成したものがある（例えば特許文献１）。
従来のこの種の自転車用幼児座席は、背凭れ体の下部側が座席本体に対して左右方向の支軸廻りに揺動自在に支持され、座席本体の上部側に背凭れ体の上部側を前後調整自在に係合保持する係合機構を設けていた（例えば特許文献１）。
【先行技術文献】
【特許文献】
【０００３】
【特許文献１】特許第４１７６９３９号公報
【発明の概要】
【発明が解決しようとする課題】
【０００４】
従って、従来では、リクライニング調整によって背凭れ体の上部側が下部側を支点に大きく前後揺動し、このため幼児が座った自転車用幼児座席の重心の前後変動が大きくなり、自転車用幼児座席を装着した自転車がふらつき易く不安定になるという問題があった。
本発明は上記問題点に鑑みて、リクライニング調整によって背凭れ体の上部側が大きく揺動せずに済み、幼児が座った自転車用幼児座席の重心の前後変動が小さくなり、自転車用幼児座席を装着した自転車がふらつきにくく安定になるようにしたものである。
【課題を解決するための手段】
【０００５】
この技術的課題を解決する本発明の技術的手段は、座部を有する座席本体と背凭れ部を有する背凭れ体とを別体に備え、背凭れ体に背凭れ部下端から前方突出した底壁が設けられ、背凭れ体の上部側が座席本体に対して左右方向の支軸廻りに揺動自在に支持され、座席本体の座部と背凭れ体の底壁とが前後移動自在に重合され、背凭れ体の底壁を座席本体の座部に対して前記支軸廻りに前後移動調整自在に係合保持する背凭れ係合機構が設けられている点にある。
【０００６】
また、本発明の他の技術的手段は、前記背凭れ係合機構を係合状態にロックする背凭れロック機構が設けられ、該背凭れロック機構はロック状態とロック解除状態とに片手で切り換え操作可能に構成されている点にある。
また、本発明の他の技術的手段は、前記背凭れ係合機構は、座部又は底壁の一方の重合面に前後方向に並んで設けられた複数の嵌合凹部又は嵌合凸部と、座部又は底壁の他方に前後方向の中間部が横軸廻りに揺動自在とされた揺動部材と、揺動部材の前後方向の一端側に突設されて、揺動部材の前後方向の他端側を上下方向に移動させることにより嵌合凹部又は嵌合凸部に出退移動する嵌合凸部又は嵌合凹部とを有している点にある。
【０００７】
また、本発明の他の技術的手段は、前記背凭れロック機構は、揺動部材の前後方向の他端側に前後移動自在に保持されたロック片と、座部又は底壁に下方突設されたストッパー片とを有し、
ロック片はストッパー片に下側から接当して嵌合凸部又は嵌合凹部を嵌合凹部又は嵌合凸部に嵌合した状態にロックするロック位置と、ストッパー片から外れて嵌合凸部又は嵌合凹部が嵌合凹部又は嵌合凸部から出退移動するのを許容するロック解除位置とに移動自在保持されている点にある。
【０００８】
また、本発明の他の技術的手段は、ロック片はロック用バネ部材によりロック位置側に向けて付勢され、ロック片をロック用バネ部材の付勢に抗してロック解除位置側に移動したとき、ロック用バネ部材の付勢力によりロック片がストッパー片の側壁面に押圧接当してロック片がロック解除位置側に保持されるように構成されている点にある。
また、本発明の他の技術的手段は、嵌合凸部又は嵌合凹部が嵌合凹部又は嵌合凸部に向けて移動する方向に揺動部材を付勢する係合用バネ部材が設けられている点にある。
【０００９】
また、本発明の他の技術的手段は、前記背凭れ係合機構を係合状態と係合解除状態とに操作するための背凭れ操作具が設けられ、背凭れ係合機構を係合状態に位置決めすると共に係合解除状態に位置決めする位置決め機構が設けられている点にある。
また、本発明の他の技術的手段は、前記背凭れ係合機構を操作するための背凭れ操作具が設けられ、該背凭れ係合機構を係合状態にロックする背凭れロック機構が設けられ、該背凭れロック機構をロック状態とロック解除状態とに切り換え操作するための切り換え操作具が前記背凭れ操作具で兼用されている点にある。
【００１０】
また、本発明の他の技術的手段は、座席本体は前記座部の他に左右一対の本体側壁を有し、背凭れ体は前記背凭れ部と底壁との他に左右一対の背凭れ側壁を有し、座席本体の左右一対の本体側壁と背凭れ体の左右一対の背凭れ側壁とが左右に重合され、左右一対の背凭れ側壁が本体側壁に前記支軸廻りに揺動自在に支持されている点にある。
また、本発明の他の技術的手段は、座席本体の座部と背凭れ体の底壁とが前記支軸を支点とする円弧状に湾曲した重合面で互いに前後移動自在に重合され、前記背凭れ係合機構は、座部又は底壁の一方の重合面に前記支軸廻りの円弧方向に並んで設けられた複数の嵌合凹部と、座部又は底壁の他方に嵌合凹部に向けて出退移動自在に保持された嵌合凸部とを有し、嵌合凸部は底壁を座部に対して前後移動調整自在に係合すべく複数の嵌合凹部に選択的に嵌合するように構成され、前記背凭れロック機構は、嵌合凸部を嵌合凹部に嵌合した状態にロックするように構成されている点にある。
【００１１】
また、本発明の他の技術的手段は、座部又は底壁の他方に、前記嵌合凹部に対応して収納部が設けられ、収納部に支持ブロックが嵌合凹部に向けて上下移動自在に保持され、支持ブロックに前記嵌合凸部が支持ブロックの上下移動に伴って収納部から嵌合凹部に出退するように突設され、支持ブロックを嵌合凹部に向けて付勢する付勢部材が設けられ、前記背凭れロック機構は、収納部の嵌合凹部側に連通するように設けた係止凹部と、前記背凭れ操作具でロック位置とロック解除位置とに回動操作可能なロック部材とを備え、背凭れ操作具でロック部材をロック位置に回動したときに、ロック部材が係止凹部に係合することにより、嵌合凸部が嵌合凹部に嵌合した状態で支持ブロックが移動不能にロックされ、背凭れ操作具でロック部材をロック解除位置に回動したときに、ロック部材が係止凹部から外れることにより、支持ブロックが移動自在になって嵌合凸部が嵌合凹部から収納部内に後退可能とされている点にある。
【００１２】
また、本発明の他の技術的手段は、前記背凭れ操作具は支持ブロックの下面側に配置され、背凭れ操作具とロック部材とで支持ブロックを上下に挟持すると共に、背凭れ操作具とロック部材とが支持ブロックに対して縦軸廻りに回動するように互いに連結され、背凭れ操作具を縦軸廻り回動することにより、ロック部材が背凭れ操作具に連動して縦軸廻りにロック位置とロック解除位置とに回動し、ロック部材がロック解除位置に回動した状態で背凭れ操作具を移動操作することにより支持ブロックが収納部を移動して嵌合凸部が嵌合凹部から外れるように構成されている点にある。
【００１３】
また、本発明の他の技術的手段は、座席本体の座部と背凭れ体の底壁とが支軸を支点とする円弧状に湾曲した重合面で互いに前後移動自在に重合され、前記背凭れ係合機構は、座席本体の座部又は背凭れ体の底壁の一方の重合面に支軸廻りの円弧方向に並んで設けられた複数の係止ギアと、座席本体の座部又は背凭れ体の底壁の他方に係止ギアに向けて出退移動可能に設けられた係合爪とを有し、係合爪は背凭れ底壁を座部に対して前後調整自在に係合すべく複数の係止ギアに選択的に噛み合うように構成され、前記背凭れロック機構は、係合爪を係止ギアに噛み合った状態にロックするように構成されている点にある。
【００１４】
また、本発明の他の技術的手段は、背凭れ体が支軸と共に座席本体に対して支軸廻りに揺動自在でかつ上下移動可能に支持され、背凭れ底壁が座席本体の座部上に前後移動自在に重合されている点にある。
【発明の効果】
【００１５】
本発明によれば、背凭れ体の上部側が座席本体に対して左右方向の支軸廻りに揺動自在に支持され、背凭れ体の底壁を座席本体の座部に対して前記支軸廻りに前後移動調整自在に係合保持する背凭れ係合機構が設けられているので、リクライニング調整によって背凭れ体の上部側が大きく前後揺動せずに済み、幼児が座った自転車用幼児座席の重心の前後変動が小さくなり、自転車用幼児座席を装着した自転車がふらつきにくく安定になる。
【図面の簡単な説明】
【００１６】
【図１】本発明の一実施形態を示す自転車用幼児座席の側面図である。
【図２】同自転車用幼児座席の平面図である。
【図３】同自転車用幼児座席の分解斜視図である。
【図４】同自転車用幼児座席の側面断面図である。
【図５】同座席本体の側面図である。
【図６】同座席本体の平面図である。
【図７】同背凭れ体の平面図である。
【図８】同背凭れ体の底面図である。
【図９】同ヘッドレストの正面図である。
【図１０】同ハンドル部分の正面断面図である。
【図１１】同ハンドルの支持部分の側面図である。
【図１２】同図１１のＡ−Ａ線断面図である。
【図１３】同ベルト巻取具の分解斜視図である。
【図１４】同ベルト巻取具の回転ロック状態の正面断面図である。
【図１５】同ベルト巻取具のラチェット解除状態の正面断面図である。
【図１６】同背凭れ係合機構（背凭れロック機構）部分の側面断面図である。
【図１７】同背凭れ係合機構部分の係合状態の正面断面図である。
【図１８】同背凭れ係合機構部分の係合解除状態の正面断面図である。
【図１９】同背凭れ係合機構部分の分解斜視図である。
【図２０】他の実施形態を示す背凭れ係合機構部分の分解斜視図である。
【図２１】同自転車用幼児座席の斜視図である。
【図２２】他の実施形態を示す背凭れ係合機構部分の分解斜視図である。
【図２３】他の実施形態を示す背凭れ係合機構部分の分解斜視図である。
【図２４】同自転車用幼児座席の斜視図である。
【図２５】他の実施形態を示す背凭れ係合機構部分の分解斜視図である。
【図２６】同自転車用幼児座席の斜視図である。
【図２７】他の実施形態を示す自転車用幼児座席の側面図である。
【図２８】同背凭れ係合機構部分の斜視図である。
【図２９】同背凭れ係合機構部分の側面断面図である。
【図３０】同背凭れ係合機構部分の分解斜視図である。
【図３１】同作用動作説明用の背凭れ係合機構部分の側面断面図である。
【図３２】同作用動作説明用の他の背凭れ係合機構部分の側面断面図である。
【図３３】本発明とは異なる背凭れ係合機構部分の分解斜視図である。
【図３４】同自転車用幼児座席の側面図である。
【図３５】本発明とは異なる背凭れ係合機構部分の分解斜視図である。
【図３６】同自転車用幼児座席の斜視図である。
【発明を実施するための形態】
【００１７】
以下、本発明の実施の形態を図面を参照して説明する。
図１〜図４において、自転車用子供座席は、座部１を有する座席本体２と、背凭れ部３を有する背凭れ体４とを別体に備え、背凭れ体４の背凭れ部３にヘッドレスト５が高さ調整自在に設けられ、座席本体２にステップ６が横軸７廻りに揺動可能に設けられている。自転車用子供座席は、自転車のハンドルバー８に着脱自在に装着され、ここに幼児を座らせることができると共に荷駕籠にもなるように構成されている。図４に示すように、ステップ６は座席本体２の座部１前方を下から塞ぐ閉鎖姿勢Ｐと、脚下げ時に下げた足を載せることが可能な足載置姿勢Ｓとに姿勢変更可能になっている。
【００１８】
座席本体２、背凭れ体４、ヘッドレスト５、ステップ６はそれぞれ合成樹脂で一体成形されている。
図１〜図６に示すように、座席本体２は、座部１の他に左右一対の本体側壁１１を有し、座席本体２の左右一対の本体側壁１１が自転車の左右一対のハンドルバー８の内側に配置されて、図示省略のボルトナット等の締結具で固定されている。座部１の前方に足下げ用開口１２が設けられ、座部１の左右方向中央部から前方に突出して足下げ用開口１２を左右に分離する仕切り壁１３が設けられている。左右一対の本体側壁１１の前端同士を連結する連結壁板１４が設けられ、仕切り壁１３の前端側が連結壁板１４の左右方向中央部に連結されている。
【００１９】
図１〜図４、図７、図８に示すように、背凭れ体４は背凭れ部３の他に背凭れ部３下端から前方突出した底壁１６と、左右一対の背凭れ側壁１７とを有している。
図１〜図４に示すように、背凭れ体４の左右一対の背凭れ側壁１７が座席本体２の左右一対の本体側壁１１の内側に配置されて、座席本体２の左右一対の本体側壁１１の後部と背凭れ体４の左右一対の背凭れ側壁１７の前部とが左右に重合され、例えば、本体側壁１１の取付孔１０を外側から円板体１５で塞ぐと共に、側壁１７の前上部側と本体側壁１１の後上部側とを図示省略のボルトと円板体１５に保持したナットとで締め付けることにより、左右一対の背凭れ側壁１７の前上部側が本体側壁１１の後上部側に左右方向の支軸２０廻りに揺動自在に支持されている。而して、背凭れ体４の上部側が座席本体２に対して左右方向の支軸２０廻りに揺動自在に支持され、左右一対の本体側壁１１と左右一対の背凭れ側壁１７とで自転車用子供座席の左右一対の座席側壁２１を構成している。
【００２０】
図１〜図４、図１６〜図１９に示すように、座席本体２の座部１と背凭れ体４の底壁１６とは支軸２０を支点とする円弧状に湾曲され、座席本体２の座部１上に背凭れ体４の底壁１６が配置されて、座席本体２の座部１と背凭れ体４の底壁１６とが支軸２０を支点とする円弧状に湾曲した重合面で互いに前後移動自在に重合されている。
背凭れ体４の底壁１６を座席本体２の座部１に対して支軸２０廻りに前後移動調整自在に係合保持する背凭れ係合機構２３が座部１と底壁１６との間に設けられ、背凭れ係合機構２３を係合状態にロックする背凭れロック機構２４が設けられ、背凭れ係合機構２３を操作するための背凭れ操作具２５が座部１の下面側に設けられている。
【００２１】
図４、図６、図１６〜図１９に示すように、背凭れ係合機構２３は、底壁１６に設けた複数の嵌合凹部２７と座部１に設けた嵌合凸部２８とを有し、複数の嵌合凹部２７は底壁１６の下面（重合面）に支軸２０廻りの円弧方向に並んで設けられ、嵌合凸部２８は座部１に嵌合凹部２７に向けて出退移動自在に保持され、嵌合凸部２８は底壁１６を座部１に対して前後移動調整自在に係合すべく複数の嵌合凹部２７に選択的に嵌合するように構成されている。
【００２２】
座部１の後端部に、嵌合凹部２７に対応して上下に開口した収納部２９が設けられている。収納部２９の左右方向中央部にその下開口縁部の前後を連結する連結底壁３０が設けられ、連結底壁３０に取付孔３１が形成されている。収納部２９の左右両側に左右一対の支持ブロック３２が嵌合凹部２７に向けて上下移動自在に保持されている。左右一対の支持ブロック３２は上下方向の中途部で連結壁部３３により互いに連結されている。連結壁部３３に取付孔３４が形成されている。
【００２３】
左右一対の支持ブロック３２に嵌合凸部２８が突設され、支持ブロック３２の上下移動に伴って嵌合凸部２８が収納部２９から嵌合凹部２７に出退するようになっている。支持ブロック３２を嵌合凹部２７に向けて付勢する付勢部材３５が設けられている。付勢部材３５はコイルバネにより構成され、連結底壁３０と連結壁部３３との間に配置されている。なお、付勢部材３５はコイルバネに代えて、板バネや弾性体その他により構成するようにしてもよい。
【００２４】
背凭れロック機構２４は、座部１の前端部に設けた前後一対の係止凹部３７と、背凭れ操作具２５でロック位置Ｘ１とロック解除位置Ｙ１とに回動操作可能なロック部材３８とを備え、前後一対の係止凹部３７は収納部２９の左右方向中央部の嵌合凹部２７側に収納部２９に連通するように形成されている。背凭れ操作具２５でロック部材３８をロック位置Ｘ１に回動したときに、ロック部材３８の両端部が係止凹部３７に係合することにより、嵌合凸部２８が嵌合凹部２７に嵌合した状態で支持ブロック３２が下方移動不能にロックされ、これにより、背凭れロック機構２４は、嵌合凸部２８を嵌合凹部２７に嵌合した状態にロックするように構成されている。また、背凭れ操作具２５でロック部材３８をロック解除位置Ｙ１に回動したときに、ロック部材３８が係止凹部３７から外れることにより、支持ブロック３２が上下移動自在になって嵌合凸部２８が嵌合凹部２７から収納部２９内に後退可能とされている。従って、背凭れ操作具２５は、背凭れロック機構２４をロック状態とロック解除状態とに切り換え操作するための切り換え操作具として機能する（切り換え操作具に兼用されている）。
【００２５】
ロック部材３８に支持筒軸４０が突設され、支持筒軸４０の突出端側に十字座金４３が相対回動不能に外嵌固着され、支持筒軸４０が連結壁部３３及び連結底壁３０に取付孔３１，３４を介して縦軸廻りに相対回動自在に挿通されている。背凭れ操作具２５は支持ブロック３２の下面側に配置され、十字座金４３が背凭れ操作具２５の嵌合没入部４４に嵌合固着され、背凭れ操作具２５とロック部材３８とをボルトナット等の締結具４１で締め付け固定することにより、背凭れ操作具２５とロック部材３８とで支持ブロック３２を上下に挟持すると共に、背凭れ操作具２５とロック部材３８とが支持ブロック３２に対して縦軸廻りに回動するように互いに連結されている。従って、背凭れ操作具２５を縦軸廻り回動することにより、ロック部材３８が背凭れ操作具２５に連動して縦軸廻りにロック位置Ｘ１とロック解除位置Ｙ１とに回動し、ロック部材３８がロック解除位置Ｙ１に回動した状態で背凭れ操作具２５を縦軸方向（下方に）に引っ張ることにより支持ブロック３２が収納部２９を下方に移動して嵌合凸部２８が嵌合凹部２７から外れるように構成されている。従って、背凭れ操作具２５は、背凭れロック機構２４をロック状態とロック解除状態とに切り換え操作するための切り換え操作具に兼用されており、背凭れ操作具２５は、背凭れ係合機構２３による係合を解除操作するための操作具として機能する共に、背凭れロック機構２４の切り換え操作具として機能する。
【００２６】
図６、図８、図１７、図１８に示すように、座部１の後部の左右両側に前後方向の案内溝４６が左右一対設けられ、底壁１６の左右両側に案内溝４６に対応する左右一対の嵌合突起４７が下方突設され、嵌合突起４７が案内溝４６に前後摺動自在に嵌合され、これにより、背凭れ体４を座席本体２に対して左右にガタ付かないように前後移動自在に案内している。
【００２７】
図４、図６、図９、図１３〜図１５に示すように、座部１の前側に２本のシートベルト５１を繰り出し自在に巻き取るベルト巻取具５２が設けられている。背凭れ部３側の上部であるヘッドレスト５の左右両側に一対の連結ベルト５３が連結されている。図９に示すように、ヘッドレスト５の左右両側に上挿通孔４８と下挿通孔４９とが設けられ、これら挿通孔４８，４９に連結ベルト５３を挿通して、連結ベルト５３の基端部に挿通孔４８，４９に挿通不能な抜止部５０を形成することにより、連結ベルト５３はヘッドレスト５の左右両側に連結されている。
【００２８】
２本のシートベルト５１の先端部と左右一対の連結ベルト５３の先端部とに、互いにワンタッチで着脱自在に連結される雄部材５４と雌部材５５とが振り分けて設けられ、２本のシートベルト５１と左右一対の連結ベルト５３とは雄部材５４と雌部材５５とを介して連結されるようになっている。仕切り壁１３に下方に没入した収納凹部５６が設けられ、この収納凹部５６にベルト巻取具５２が着脱可能に収納保持されている。
【００２９】
図１３〜図１５に示すように、ベルト巻取具５２は巻取ケース５８と、２本のシートベルト５１を巻き取る巻取用回転体５９とを有し、巻取ケース５８は左右一対のケース体５８ａ，５８ｂをボルトナット等の締結具６０で互いに締結して成る。巻取用回転体５９は左右一対の回転体５９ａ，５９ｂを組み合わせてなり、巻取ケース５８内に横軸（締結具６０の軸心）廻りに回転自在に収納され、巻取ケース５８内に収納した巻取バネ６２により巻取用回転体５９がシートベルト５１を巻き取る方向に回転自在に付勢されている。
【００３０】
巻取ケース５８内に、ラチェット機構６５と巻取用回転体５９の回転を不能にする回転ロック機構６６とが設けられ、巻取ケース５８の外側にラチェット操作具６７が設けられている。
ラチェット機構６５は巻取用回転体５９に設けた左右一対のラチェット用歯車６８とラチェット用歯車６８に係脱自在に係合する左右一対のラチェット爪６９とを有し、巻取ケース５８内に、前記ラチェット爪６９を左右一対有する爪構成部材７０がラチェット用歯車６８に向けて移動自在に保持され、巻取ケース５８内に爪構成部材７０をラチェット用歯車６８に向けて付勢するラチェット用バネ７１が設けられ、ラチェット機構６５は巻取用回転体５９の繰り出し方向への回転のみを許して巻き取り方向への回転を不能にするように構成されている。
【００３１】
回転ロック機構６６は、巻取ケース５８内に設けた係止部７３と、ロック位置Ｘ２とロック解除位置Ｙ２とに回動操作可能なロック部材７４とを備える。ロック部材７４の中央部に第１支持筒７７と第２支持筒７８とが上下に突設されており、第１支持筒７７は基部側の円筒部７７ａと先端側の角筒部７７ｂとを有している。第２支持筒７８は円筒状に形成されている。第１支持筒７７は巻取ケース５８の上壁に挿通孔８０を介して軸心廻りに回転自在に挿通されると共に、ラチェット操作具６７の下面側に嵌合固定されている。第２支持筒７８は爪構成部材７０の中央部に軸心廻りに相対回転自在に挿通されている。ラチェット操作具６７は巻取ケース５８の外面側に配置され、ラチェット操作具６７とロック部材７４とが第１支持筒７７及び第２支持筒７８に挿入したボルトナット等の締結具８１により互いに連結固定されて、爪構成部材７０に対して支持筒７７，７８廻りに回動可能に連結され、ラチェット操作具６７を支持筒７７，７８（支持軸）廻りに回動することにより、ロック部材７４がラチェット操作具６７に連動して支持筒７７，７８廻りにロック位置Ｘ２とロック解除位置Ｙ２に回動する。
【００３２】
ラチェット操作具６７でロック部材７４をロック位置Ｘ２に回動したときに、ロック部材７４が係止部７３に係合することにより、ラチェット爪６９がラチェット用歯車６８に係合した状態で爪構成部材７０がラチェット用歯車６８側にロックされ、これにより、回転ロック機構６６はラチェット爪６９をラチェット用歯車６８に係合した状態にロックして巻取用回転体５９の回転を不能にする。また、ラチェット操作具６７でロック部材７４をロック解除位置Ｙ２に回動したときに、ロック部材７４が係止部７３から外れることにより、ラチェット爪６９がラチェット用歯車６８から外れるように爪構成部材７０がラチェット用歯車６８側から後退可能とされ、これにより、回転ロック機構６６によるロックが解除可能になる。従って、ラチェット操作具６７は、ラチェット爪６９をラチェット用歯車６８から離間させるためのラチェット操作具としての機能を有すると共に、回転ロック機構６６をロック状態とロック解除状態とに切り換え操作するための切り換え操作具の機能を有する。
【００３３】
ロック部材７４がロック解除位置Ｙ２に回動した状態でラチェット操作具６７を支持筒７７，７８（支持軸）方向に引っ張る（移動する）ことにより、ラチェット用バネ７１の付勢に抗して爪構成部材７０がロック部材７４と共にラチェット用歯車６８から離間してラチェット爪６９がラチェット用歯車６８から外れるように構成され、これにより、ラチェット爪６９をラチェット用歯車６８から離間させて、巻取用回転体５９を巻取バネ６２の付勢により巻き取り方向に自動的に回転させる。
【００３４】
図１、図３、図５、図１０〜図１２に示すように、左右一対の座席側壁２１（本体側壁１１）間にハンドル８５が設けられている。左右一対の座席側壁２１に、上下一対の挟持レール８６がそれぞれ前後方向に設けられ、ハンドル８５の左右両端部に前記一対の挟持レール８６間に前後移動自在に嵌合される嵌合体８７が設けられている。左右一対の本体側壁１１に前後方向に長い挿通孔８８が設けられ、ハンドル８５の両端部に支持筒体８９が左右方向外方に突設され、支持筒体８９は一対の座席側壁２１の挿通孔８８に前後移動自在に挿通されている。
【００３５】
図１０〜図１２に示すように、嵌合体８７は円板状に形成されて、一対の本体側壁１１（座席側壁２１）の外面側に配置され、嵌合体８７の中央部に支持軸９０が左右方向内方に突設され、各支持軸９０は支持筒体８９に軸心廻りに回動自在に挿通され、これにより、嵌合体８７はハンドル８５の両端部に横軸（支持軸９０）廻りに固定位置Ａと固定解除位置Ｂとに回動可能に連結されている。嵌合体８７の径方向に対応する位置に円弧状の長孔９２が設けられ、これにより、嵌合体８７の径方向に対応する外周部に径方向内方に弾性変形可能な変形部９３が形成されている。
【００３６】
上下一対の挟持レール８６は、一対の本体側壁１１の外面側であって前記挿通孔８８の上下に配置され、上下一対の挟持レール８６の両端同士は、挿通孔８８の前後方向外方で互いに連結されている。上下一対の挟持レール８６は、前後方向に向かう従い互いに離間と接近を繰り返すように波形に形成され、嵌合体８７を固定位置Ａに回動したときに嵌合体８７の変形部９３が一対の挟持レール８６から外れて一対の挟持レール８６間に前後移動不能に嵌合固定され、嵌合体８７を固定解除位置Ｂに回転したときに嵌合体８７の変形部９３が一対の挟持レール８６に対応して嵌合体８７が一対の挟持レール８６間に前後移動自在に嵌合保持されるようになっている。
【００３７】
嵌合体８７を横軸廻りに回動操作するための回動操作体９４がボルトナット等の締結具９１による締め付け等によって支持軸９０の内端部に固設され、回動操作体９４は一対の本体側壁１１の内面側に配置されている。一対の挟持レール８６及び嵌合体８７の外側方を覆う保護カバー９５が座席本体２の本体側壁１１の外面に着脱自在に設けられている。
上記実施形態によれば、図１６及び図１７に示すように、ロック部材３８がロック位置Ｘ１にあって、嵌合凸部２８が嵌合凹部２７に嵌合した状態から、背凭れ部３をリクライニング調整する場合、まず、図１８に示すように、背凭れ操作具２５を回動操作して、ロック部材３８をロック位置Ｘ１からロック解除位置Ｙ１に回動する。すると、ロック部材３８が係止凹部３７から外れることにより、支持ブロック３２が上下移動自在になって嵌合凸部２８が嵌合凹部２７から収納部２９内に後退可能となる。その後、図１８に示すように、背凭れ操作具２５を縦軸方向（下方に）に引っ張ることにより支持ブロック３２が収納部２９を下方に移動して嵌合凸部２８が嵌合凹部２７から外れる。この状態で、支軸２０を支点とする円弧状に湾曲した重合面に沿って底壁１６を座部１に対して前後移動させると、図４に鎖線で示す如く背凭れ部３が支軸２０軸廻りに揺動する。その後、背凭れ操作具２５を下方に引っ張った状態から上方に戻すと、嵌合凸部２８がいずれかの嵌合凹部２７に嵌合するので、その後、背凭れ操作具２５を回動操作して、ロック部材３８をロック解除位置Ｙ１からロック位置Ｘ１に戻すと、ロック部材３８の両端部が係止凹部３７に係合することにより、嵌合凸部２８が嵌合凹部２７に嵌合した状態で支持ブロック３２が下方移動不能にロックされる。従って、背凭れ操作具２５の操作によって簡単に背凭れ部３をリクライニング調整することができる。
【００３８】
しかも、上記実施形態の場合、背凭れ体４の上部側が座席本体２に対して左右方向の支軸２０廻りに揺動自在に支持され、背凭れ体４の底壁１６を座席本体２の座部１に対して支軸２０廻りに前後移動調整自在に係合保持する背凭れ係合機構２３が設けられているので、リクライニング調整によって背凭れ体４の上部側が大きく揺動せずに済み、幼児が座った自転車用幼児座席の重心の前後変動が小さくなり、自転車用幼児座席を装着した自転車がふらつきにくく安定になる。
【００３９】
また、背凭れ係合機構２３を係合状態にロックする背凭れロック機構２４が設けられているので、自転車の振動等により、背凭れ係合機構２３の係合が不測に外れたり切り換わるのを背凭れロック機構２４により防止できるし、背凭れ係合機構２３による係合を解除操作し又は背凭れロック機構２４をロック状態とロック解除状態とに切り換え操作するための背凭れ操作具２５が座部１及び底壁１６の下面側に設けられているので、自転車用幼児座席に座った幼児が背凭れ操作具２５に触れるおそれがなくなり、自転車用幼児座席に座った幼児が誤って背凭れ操作具２５に触れて背凭れ体４が不測に前後揺動するのを確実に防止できる。また、座席本体２の座部１と背凭れ体４の底壁１６とが前後移動自在に重合されているので、座席本体２と背凭れ体４とを互いにガタ付かないように前後移動自在に安定に組付けることができる。
【００４０】
また、座席本体２の左右一対の本体側壁１１の後部と背凭れ体４の左右一対の背凭れ側壁１７の前部とが左右に重合され、左右一対の背凭れ側壁１７の前上部側が本体側壁１１の後上部側に支軸２０廻りに揺動自在に支持されているので、本体側壁１１と背凭れ側壁１７との重合によって、背凭れ体４を支軸２０廻りに移動調整する際に背凭れ体４が座席本体２に対して左右にガタ付くのを防止できるし、移動調整した後にも、背凭れ体４が座席本体２に対して左右にガタ付かないように背凭れ体４を座席本体２に対して安定に取り付けておくことができる。
【００４１】
また、座席本体２の座部１と背凭れ体４の底壁１６とが支軸２０を支点とする円弧状に湾曲した重合面で互いに前後移動自在に重合されているので、背凭れ体４を前後移動調整する際に、背凭れ体４の底壁１６が座席本体２の座部１に対して上下方向にガタ付くのを防いで、背凭れ体４を支軸２０廻りに容易かつスムーズに前後調整することができる。また、前後調整後にも背凭れ体４の底壁１６が座席本体２の座部１に対して上下方向にガタ付かないように安定に固定しておくことができる。
【００４２】
また、背凭れ係合機構２３は、底壁１６の重合面に支軸２０廻りの円弧方向に並んで設けられた複数の嵌合凹部２７と、座部１に嵌合凹部２７に向けて出退移動自在に保持された嵌合凸部２８とを有し、嵌合凸部２８は底壁１６を座部１に対して前後移動調整自在に係合すべく複数の嵌合凹部２７に選択的に嵌合するように構成されているので、嵌合凸部２８の嵌合凹部２７への嵌合により、背凭れ体４を座席本体２に対して前後左右にガタ付かないようにより確実かつ安定に固定することができるし、背凭れロック機構２４によって嵌合凸部２８が嵌合凹部２７に嵌合した状態を確実に保持することができる。
【００４３】
また、支持ブロック３２を嵌合凹部２７に向けて付勢する付勢部材３５が設けられているので、付勢部材３５の付勢力によっても嵌合凸部２８の嵌合凹部２７への嵌合を保持することができ、背凭れ体４の背凭れ部３を座席本体２の座部１に対して不測に前後移動したりするのを防ぐことができ、背凭れ体４の座席本体２への固定状態をより強固に維持することができる。
【００４４】
また、背凭れ操作具２５でロック部材３８をロック位置Ｘ１に回動したときに、ロック部材３８が係止凹部３７に係合することにより、嵌合凸部２８が嵌合凹部２７に嵌合した状態で支持ブロック３２が下方移動不能にロックされ、背凭れ操作具２５でロック部材３８をロック解除位置Ｙ１に回動したときに、ロック部材３８が係止凹部３７から外れることにより、支持ブロック３２が上下移動自在になって嵌合凸部２８が嵌合凹部２７から収納部２９内に後退可能とされているので、背凭れ操作具２５によるロック部材３８の回動操作によって、背凭れロック機構２４をロック状態とロック解除状態に簡単かつ確実に切り換えることができる。また、同一の背凭れ操作具２５を引っ張ることによって、簡単に嵌合凸部２８を嵌合凹部２７から外すことができ、背凭れ体４の底壁１６を座席本体２の座部１に対して支軸２０廻りに楽に前後調整することができる。
【００４５】
上記実施形態によれば、２本のシートベルト５１を繰り出す場合、ラチェット操作具６７を回動操作してロック部材７４をロック位置Ｘ２からロック解除位置Ｙ２に回動した後、２本のシートベルト５１を前側に引っ張ればよく、２本のシートベルト５１をベルト巻取具５２から簡単に繰り出すことができる。２本のシートベルト５１を巻き取る場合、ロック部材７４をロック解除位置Ｙ２に回動した後にラチェット操作具６７を上方に引っ張ればよく、巻取用回転体５９を巻取バネ６２の付勢により巻き取り方向に自動的に回転させて、２本のシートベルト５１をベルト巻取具５２に簡単に巻き取ることができる。また、シートベルト５１を幼児に装着する場合は、幼児が幼児座席に座った後にベルト巻取具５２からシートベルト５１を繰り出して連結ベルト５３と連結すればよく、シートベルト５１を幼児に簡単に装着することができる。そして、その後、ラチェット操作具６７を回動操作してロック部材７４をロック解除位置Ｙ２からロック位置Ｘ２に回動しておけば、ロック部材７４が係止部７３に係合することにより、ラチェット爪６９がラチェット用歯車６８に係合した状態で爪構成部材７０がラチェット用歯車６８側にロックされ、シートベルト５１は繰り出し不能になる。
【００４６】
また、上記実施の形態の場合、２本のシートベルト５１を座部１の前側のベルト巻取具５２に巻き取っておくことができるため、幼児が幼児座席に座る際に従来のようにシートベルト５１が邪魔になることがなくなる。また、シートベルト５１を幼児に装着する場合は、幼児が幼児座席に座った後にベルト巻取具５２からシートベルト５１を繰り出して連結ベルト５３と連結すればよく、幼児座席に座った幼児に簡単に装着することができる。
【００４７】
また、ラチェット爪６９をラチェット用歯車６８に係合した状態にロックして巻取用回転体５９の回転を不能にする回転ロック機構６６が設けられているので、幼児座席に座った幼児にシートベルト５１を装着した後に、巻取用回転体５９をロックすることにより、幼児座席に座った幼児がいたずら等でベルト巻取具５２からシートベルト５１を必要以上に繰り出すようなことができなくなり、幼児座席に座った幼児に対してシートベルト５１の良好な装着状態を保持することができる。また、巻取用回転体５９を巻取バネ６２の付勢によりシートベルト５１の巻き取り方向に回転させるように、ラチェット爪６９をラチェット用歯車６８から離間させるラチェット操作具６７が設けられているで、幼児に装着したシートベルト５１を取り外す際には、回転ロック機構６６で２本のシートベルト５１が繰り出し不能にロックされた状態から、ラチェット操作具６７を操作することによって、繰り出された２本のシートベルト５１を巻取バネ６２の付勢によって自動的に巻き取ることができ、便利である。
【００４８】
また、座部１の前方に足下げ用開口１２が設けられ、座部１の左右方向中央部から前方に突出して足下げ用開口１２を左右に分離する仕切り壁１３が設けられ、仕切り壁１３に下方に没入した収納凹部５６が設けられ、この収納凹部５６に前記ベルト巻取具５２が収納保持されているので、幼児座席に座った幼児の股の前方にベルト巻取具５２を配置してここから２本のシートベルト５１を繰り出すことができ、この点からも、幼児座席に座った幼児にシートベルト５１を簡単かつ良好に装着することができる。
【００４９】
また、背凭れ体４にヘッドレスト５が上下調整自在に保持され、ヘッドレスト５の左右両側に一対の連結ベルト５３が連結されているので、幼児座席に座る幼児の大きさに合わせてヘッドレスト５と共に連結ベルト５３の高さ位置を調整することができ、幼児座席に座った幼児の大きさに合わせてシートベルト５１を良好に装着することができる。
また、ベルト巻取具５２は巻取ケース５８を有しているので、ベルト巻取具５２を巻取ケース５８内に巻取用回転体５９、爪構成部材７０、ラチェット用バネ７１、回転ロック機構６６をコンパクトに収納した状態で、ベルト巻取具５２を座部１の前側に簡単に配置することができるし、また、ラチェット操作具６７の回動操作によってシートベルト５１を繰り出し可能な状態と繰り出し不能な状態とに簡単に切り替えできるようになり、便利である。
【００５０】
上記実施形態によれば、ハンドル８５を左右一対の座席側壁２１に対して前後に移動調整する場合、回動操作体９４を操作して嵌合体８７を固定位置Ａから固定解除位置Ｂとに回動にした後、ハンドル８５を前後に押圧し又は引っ張ればよく、左右一対の嵌合体８７がそれぞれ上下一対の挟持レール８６を前後移動する。また、ハンドル８５を前後移動させた後は回動操作体９４を操作して嵌合体８７を固定解除位置Ｂから固定位置Ａに回動すればよく、左右一対の嵌合体８７がそれぞれ上下一対の挟持レール８６を前後移動不能に固定される。従って、回動操作体９４の回動操作によってハンドル８５を簡単に前後方向に調整することができる。
【００５１】
しかも、左右一対の座席側壁２１に、上下一対の挟持レール８６がそれぞれ前後方向に設けられ、嵌合体８７が一対の挟持レール８６間に前後移動自在に保持されているので、回動操作体９４の回動操作によってハンドル８５を前後方向に大きな範囲でかつ細かく移動調整することが可能となる。従って、幼児座席に座る幼児の成長に合わせて、ハンドル８５を好適な前後位置に簡単に設定できるようになり、幼児座席に座る幼児が小さいときから長期間に亘ってハンドル８５を良好に握ることができる。
【００５２】
また、嵌合体８７の径方向に対応する外周部に径方向内方に弾性変形可能な変形部９３が設けられ、上下一対の挟持レール８６は、前後方向に向かう従い互いに離間と接近を繰り返すように波形に形成されているので、嵌合体８７を固定解除位置Ｂに回転したときに嵌合体８７の変形部９３の弾性変形をうまく利用して嵌合体８７を上下一対の挟持レール８６間に嵌合保持した状態でスムーズに前後移動させることができるし、また、嵌合体８７を固定位置Ａに回動したときに、嵌合体８７の変形部９３が一対の挟持レール８６から外れることと、上下一対の挟持レール８６の波形形状であることを利用して、一対の挟持レール８６間に嵌合体８７を前後移動不能に強固に固定することができる。
【００５３】
図２０及び図２１は他の実施形態を示し、背凭れ体４の左右一対の背凭れ側壁１７の前上部側に円筒状の支軸２０が外方突設され、座席本体２の左右一対の本体側壁１１の後部に支軸２０に対応する取付孔１２１が設けられ、支軸２０を取付孔１２１に挿通して支軸２０の挿通端部に抜止キャップ１２２を外嵌固着することにより、左右一対の背凭れ側壁１７の前上部側が本体側壁１１の後上部側に支軸２０廻りに揺動自在に支持され、座席本体２の座部１と背凭れ体４の底壁１６とが支軸２０を支点とする円弧状に湾曲した重合面で互いに前後移動自在に重合されている。
【００５４】
座席本体２の座部１に前後方向の長孔１２３が形成され、座部１の重合面（上面）に長孔１２３の左右両側に位置して支軸２０廻りの円弧方向に並んで設けられた複数の係止ギア１２４が左右一対形成されている。背凭れ体４の底壁１６の中央部に挿通孔１２５が設けられ、背凭れ体４の底壁１６の重合面（下面）側に挿通孔１２５を挟んで左右一対の係合爪１２７が設けられている。
【００５５】
背凭れ係合機構２３は、座部１の重合面に設けられた前記複数の係止ギア１２４と、底壁１６中央部に設けられた係合爪１２７とを有し、底壁１６にＵ字状のスリット１２８を設けることにより底壁１６中央部の弾性変形によって係合爪１２７は係止ギア１２４に向けて出退移動可能になり、係合爪１２７は背凭れ体４の底壁１６を座部１に対して前後調整自在に係合すべく複数の係止ギア１２４に選択的に噛み合うように構成されている。背凭れロック機構２４は、十字形状のロック部材３８を底壁１６の上面側に配置し、座部１の下面側に配置した背凭れ操作具２５とロック部材３８とで座部１と底壁１６の中央部とを上下に挟んで背凭れ操作具２５とロック部材３８とを図示省略のボルトナット等の締結具で相対回動不能に連結し、また、底壁１６の上面側にロック部材３８の中心部を支点とする円弧状の突起１３０を周方向に等間隔おいて複数形成することにより構成されている。
【００５６】
而して、背凭れ操作具２５の回動操作によりロック部材３８をロック位置Ｘ１に回動したときに、ロック部材３８が底壁１６中央部に上側から重合接当することにより、背凭れロック機構２４は、係合爪１２７を係止ギア１２４に係合した状態にロックするように構成されている。また、背凭れ操作具２５の回動操作によりロック部材３８をロック解除位置Ｙ１に回動したときに、ロック部材３８が円弧状の突起１３０に乗り上げることにより、係合爪１２７が係止ギア１２４から上方に後退可能になって背凭れ係合機構２３のロックが解除されると共に、ロック部材３８が背凭れ操作具２５を上方に引き上げて背凭れ操作具２５が座部１中央部を上方に押圧することにより、座部１中央部の弾性変形によって係合爪１２７が係止ギア１２４から離間するように構成されている。従って、背凭れ操作具２５は、背凭れロック機構２４をロック状態とロック解除状態とに切り換え操作するための切り換え操作具として機能すると共に、背凭れ係合機構２３による係合を解除操作するための操作具として機能する。
【００５７】
その他の点は前記図１〜図１９の実施の形態の場合と同様の構成であり、前記実施形態の場合と同様に、リクライニング調整によって背凭れ体４の上部側が大きく揺動せずに済み、幼児が座った自転車用幼児座席の重心の前後変動が小さくなり、自転車用幼児座席を装着した自転車がふらつきにくく安定になる。また、自転車の振動等により、背凭れ係合機構２３の係合が不測に外れたり切り換わるのを背凭れロック機構２４により防止できるし、背凭れロック機構２４をロック状態とロック解除状態とに切り換え操作するための背凭れ操作具２５が座部１及び底壁１６の下面側に設けられているので、自転車用幼児座席に座った幼児が背凭れ操作具２５に触れるおそれがなくなり、自転車用幼児座席に座った幼児が誤って背凭れ操作具２５に触れて背凭れ体４が不測に前後揺動するのを確実に防止できる。また、座席本体２の座部１と背凭れ体４の底壁１６とが前後移動自在に重合されているので、座席本体２と背凭れ体４とを互いにガタ付かないように前後移動自在に安定に組付けることができる。
【００５８】
図２２は他の実施形態を示し、前記図２０及び図２１の実施形態の場合と同様に、支軸２０を取付孔１２１に挿通して支軸２０の挿通端部に抜止キャップ１２２を外嵌固着することにより、左右一対の背凭れ側壁１７の前上部側が本体側壁１１の後上部側に支軸２０廻りに揺動自在に支持され、座席本体２の座部１と背凭れ体４の底壁１６とが支軸２０を支点とする円弧状に湾曲した重合面で互いに前後移動自在に重合されている。
【００５９】
底壁１６に前後方向の長孔１２３が形成され、底壁１６の重合面（下面）に長孔１２３の左右両側に位置して支軸２０廻りの円弧方向に並んで設けられた複数の係止ギア１２４が左右一対形成されている。座席本体２の座部１の中央部に挿通孔１２５が設けられ、座席本体２の座部１の重合面（上面）側に挿通孔１２５を挟んで左右一対の係合爪１２７が設けられている。
【００６０】
背凭れ係合機構２３は、底壁１６の重合面（下面）に設けられた前記複数の係止ギア１２４と、座部１の重合面（上面）側に設けられた前記係合爪１２７とを有し、座部１にＵ字状又はコの字状のスリット１２８を設けることにより座部１中央部の弾性変形によって係合爪１２７は係止ギア１２４に向けて出退移動可能になり、係合爪１２７は背凭れ体４の底壁１６を座部１に対して前後調整自在に係合すべく複数の係止ギア１２４に選択的に噛み合うように構成されている。
【００６１】
背凭れロック機構２４は、底壁１６の上面側から底壁１６の長孔１２３と座部１の挿通孔１２５に挿通されたボルト１３１と、ノブナットにより構成した背凭れ操作具２５とを有している。底壁１６の上面側に長方形状の座金１３２が設けられ、座金１３２に嵌合凹部１３３が形成されており、ボルト１３１の頭部が嵌合凹部１３３に相対回動不能に嵌合され、座金１３２は底壁１６の上面側に形成した図示省略の嵌合凹部に回動不能に嵌合保持され、背凭れ操作具２５（ノブナット）は座部１の下面側に配置されて、ボルト１３１に座部１の下面側から螺合され、背凭れ操作具２５を締め付けることにより、座部１中央部の弾性変形により左右一対の係合爪１２７が上方に移動して、左右一対の係合爪１２７が係止ギア１２４に係合した状態に背凭れ係合機構２３をロックする。また、背凭れ操作具２５を弛めることにより、背凭れ係合機構２３のロックが解除されると共に、座部１中央部の弾性変形の復元力により、係合爪１２７が係止ギア１２４から離間するように構成されている。従って、背凭れ操作具２５は、背凭れロック機構２４をロック状態とロック解除状態とに切り換え操作するための切り換え操作具として機能すると共に、背凭れ係合機構２３による係合を解除操作するための操作具として機能する。
【００６２】
図２３及び図２４は他の実施形態を示し、座席本体２は座部１と左右一対の本体側壁１１と背壁１３６とを一体に有し、背凭れ体４は背凭れ部３と左右一対の背凭れ側壁１７と底壁１６とを有し一体成形されている。背凭れ体４の左右一対の背凭れ側壁１７の前上部側に円筒状の支軸２０が外方突設され、座席本体２の左右一対の本体側壁１１の後部に支軸２０に対応する上下方向に長い取付孔１２１が設けられ、支軸２０を取付孔１２１に挿通して支軸２０の挿通端部に抜止キャップ１２２を外嵌固着することにより、背凭れ体４が支軸２０と共に座席本体２に対して支軸２０廻りに揺動自在でかつ取付孔１２１の範囲で上下移動可能に支持され、背凭れ体４の底壁１６が座席本体２の座部１上に前後移動自在に重合されている。
【００６３】
背凭れ体４の底壁１６の中央部に嵌合凹部１３７と挿通孔１３８とが設けられ、座席本体２の座部１に前後一対の円形の係止孔１３９と前後一対の係止孔１３９を連結する小幅の連結孔１４０とが設けられている。頭部１４１と偏平な係合部１４２と軸部１４３とを有する係合部材１４４が底壁１６の上面側に設けられ、座部１の下面側に配置した背凭れ操作具２５と係合部材１４４とで底壁１６と座部１とを上下に挟んで背凭れ操作具２５と係合部材１４４とが図示省略のボルトナット等の締結具で相対回動不能に連結され、係合部材１４４の頭部１４１は嵌合凹部１３７に軸心廻りに回動可能に嵌合され、係合部１４２は前後一対の係止孔１３９の一方に挿通されている。而して、背凭れ操作具２５の回動操作により、係合部材１４４をその係合部１４２が左右方向を向く（係合部１４２が左右方向に長くなる）係合位置に回動したときに、係合部材１４４の係合部１４２が前後一対の係止孔１３９の一方に前後移動不能に係合され、これにより、背凭れ体４の底壁１６が座席本体２の座部１上を前後移動不能になる。また、背凭れ操作具２５の回動操作により係合部材１４４の係合部１４２が前後方向を向く（係合部が前後方向に長くなる）係合解除位置に回動したときに、係合部材１４４の係合部１４２が連結孔１４０を通して前後一対の係止孔１３９間を前後移動可能になり、これにより、背凭れ体４の底壁１６が座席本体２の座部１上を前後移動自在になる。
【００６４】
従って、背凭れ体４の底壁１６を座席本体２の座部１に対して支軸２０廻りに前後移動調整自在に係合保持する背凭れ係合機構２３が係合部材１４４、前後一対の係止孔１３９及び連結孔１４０等によって構成され、背凭れ操作具２５は、背凭れ係合機構２３による係合を解除操作するための操作具として機能する。
なお、上記図２３及び図２４の実施形態の場合、背凭れロック機構２４が省略されているが、例えば、背凭れ操作具２５に連結孔１４０を開閉自在に塞ぐ閉塞片を突設し、バネの付勢等により閉塞片が連結孔１４０に嵌合して塞ぎ、バネの付勢等に抗して背凭れ操作具２５乃至閉塞片を引っ張れば閉塞片が連結孔１４０から離間するように構成し、これにより背凭れ係合機構２３を係合状態にロックする背凭れロック機構２４を設けるようにしてもよい。このようにした場合、背凭れ操作具２５は、背凭れロック機構２４をロック状態とロック解除状態とに切り換え操作するための切り換え操作具として機能すると共に、背凭れ係合機構２３による係合を解除操作するための操作具として機能することになる。
【００６５】
図２５及び図２６は他の実施形態を示し、座席本体２は座部１と左右一対の本体側壁１１とを一体に有し、背凭れ体４は背凭れ部３と左右一対の背凭れ側壁１７と底壁１６とを一体に有している。背凭れ体４の左右一対の背凭れ側壁１７を座席本体２の左右一対の本体側壁１１の外側に配置して、座席本体２の左右一対の本体側壁１１と背凭れ体４の左右一対の背凭れ側壁１７とを左右に重合している。また、背凭れ体４の底壁１６上に座席本体２の座部１を配置して、座席本体２の座部１と背凭れ体４の底壁１６とが前後移動自在に重合されている。
【００６６】
図１〜図１９の実施形態又は図２０及び図２１の実施形態の場合と同様に、背凭れ体４が座席本体２に対して支軸２０廻りに揺動自在に支持され、座席本体２の座部１と背凭れ体４の底壁１６とが支軸２０を支点とする円弧状に湾曲した重合面で互いに前後移動自在に重合されている。
背凭れ係合機構２３は、座部１に設けた複数の嵌合凹部２７と底壁１６に設けた嵌合凸部２８とを有し、複数の嵌合凹部２７は座部１の下面（重合面）に支軸２０廻りの円弧方向に並んで設けられ、嵌合凸部２８は底壁１６の嵌合凹部２７に向けて出退移動自在に保持され、嵌合凸部２８は底壁１６を座部１に対して前後移動調整自在に係合すべく複数の嵌合凹部２７に選択的に嵌合するように構成されている。
【００６７】
背凭れ体４の底壁１６の下面側に、リング状の保持体１７１と左右一対の位置決め凸部１７２と挿通孔１７３を有する保持筒体１７４とが設けられている。底壁１６の下面側に、背凭れ係合機構２３（嵌合凸部２８）を係合状態Ｘ３と係合解除状態Ｙ３とに操作するための背凭れ操作具１７６が設けられている。背凭れ操作具１７６に角棒状の支持軸１７７が突設され、背凭れ操作具１７６は保持体１７１に支持軸１７７廻りに回動自在に保持され、支持軸１７７は保持筒体１７４に回動自在に挿通保持され、支持軸１７７の先端部（前端部）に嵌合凸部２８が角孔１７８を介して嵌合固着されている。嵌合凸部２８は半円形の板状に形成され、背凭れ操作具１７６を支持軸１７７廻りに回動操作することにより、嵌合凸部２８が支持軸１７７と共に支持軸１７７廻りに回動して、嵌合凸部２８は底壁１６の嵌合凹部２７に出退移動するようになっている。従って、背凭れ操作具１７６は、背凭れ係合機構２３による係合を解除操作するための操作具として機能すると共に、背凭れ係合機構２３による係合（嵌合凸部２８を嵌合凹部２７に嵌合）操作するための操作具として機能する。
【００６８】
支持軸１７７の基部に長円筒形状の位置決め筒体１７９が外嵌固着され、背凭れ操作具１７６を支持軸１７７廻りに回動操作することにより、位置決め筒体１７９が支持軸１７７廻りに回動し、嵌合凸部２８が上向きになって嵌合凹部２７に嵌合する嵌合位置（背凭れ係合機構２３の係合状態）Ｘ３で、位置決め筒体１７９の左右両側に左右一対の位置決め凸部１７２が係合して、嵌合位置Ｘ３で嵌合凸部２８乃至背凭れ係合機構２３を位置決めすると共に、嵌合凸部２８が下向きになって嵌合凹部２７から外れる嵌合解除位置（背凭れ係合機構２３の係合解除状態）Ｙ３で、位置決め筒体１７９の左右両側に左右一対の位置決め凸部１７２が係合して、嵌合解除位置Ｙ３で嵌合凸部２８乃至背凭れ係合機構２３を位置決めするように構成されている。従って、背凭れ係合機構２３を係合状態Ｘ３に位置決めすると共に係合解除状態Ｙ３に位置決めする位置決め機構１８１が、位置決め筒体１７９と左右一対の位置決め凸部１７２により構成されている。
【００６９】
上記実施の形態の場合、前記実施形態の場合と同様に、リクライニング調整によって背凭れ体４の上部側が大きく揺動せずに済み、幼児が座った自転車用幼児座席の重心の前後変動が小さくなり、自転車用幼児座席を装着した自転車がふらつきにくく安定になる。また、背凭れ係合機構２３を係合状態Ｘ３と係合解除状態Ｙ３とに操作するための背凭れ操作具１７６が設けられ、背凭れ係合機構２３を係合状態Ｘ３に位置決めすると共に係合解除状態Ｙ３に位置決めする位置決め機構１８１が設けられているので、背凭れ操作具１７６によって、背凭れ係合機構２３を係合状態Ｘ３と係合解除状態Ｙ３とに簡単かつ確実に操作することができる。
【００７０】
図２７〜図３２は他の実施形態を示し、座席本体２は座部１と左右一対の本体側壁１１とを一体に有し、背凭れ体４は背凭れ部３と左右一対の背凭れ側壁１７と底壁１６とを一体に有している。背凭れ体４の左右一対の背凭れ側壁１７が座席本体２の左右一対の本体側壁１１の外側に配置されている。また、背凭れ体４の底壁１６上に座席本体２の座部１を配置して、座席本体２の座部１と背凭れ体４の底壁１６とが前後移動自在に重合されている。
【００７１】
図１〜図１９の実施形態又は図２０及び図２１の実施形態の場合と同様に、背凭れ体４が座席本体２に対して支軸２０廻りに揺動自在に支持され、座席本体２の座部１と背凭れ体４の底壁１６とが支軸２０を支点とする円弧状に湾曲した重合面で互いに前後移動自在に重合されている。
図２８〜図３２に示すように、背凭れ係合機構２３は、座部１の重合面に前後方向に並んで設けられた複数の嵌合凹部２７と、底壁１６に前後方向の中間部が横軸１８５廻りに揺動自在とされた揺動部材１８６と、揺動部材１８６の前後方向の一端（前端）側に突設されて、揺動部材１８６の前後方向の他端側を上下方向に移動させることにより嵌合凹部２７に出退移動する嵌合凸部２８とを有し、複数の嵌合凹部２７は座部１の下面（重合面）に支軸２０廻りの円弧方向に並んで左右に２組設けられている。
【００７２】
揺動部材１８６は左右一対の揺動体１８８と揺動体１８８の後部を連結する連結体１８９とを有し、連結体１８９の後部に上方にコの状に上方突出した保持片１９０が設けられ保持片１９０と連結体１８９との間に挿通孔１９１が形成されている。また、連結体１８９の前部に上方突出部１９３が設けられ、この上方突出部１９３に上方に向けて開口した係合溝１９４が設けられている。
【００７３】
底壁１６に支持凸部１９６が下方突設されており、支持凸部１９６は揺動部材１８６の一対の揺動体１８８間に配置され、横軸１８５を揺動体１８８の前後方向中途部と支持凸部１９６に挿通することにより上記の如く揺動部材１８６が横軸１８５廻りに揺動自在とされている。
左右一対の揺動体１８８の各前端部に嵌合凸部２８が上方突設されており、一対の嵌合凸部２８は底壁１６を座部１に対して前後移動調整自在に係合すべく左右２組の複数の嵌合凹部２７にそれぞれ選択的に嵌合するように構成されている。
【００７４】
背凭れ係合機構２３を係合状態にロックする背凭れロック機構２４が設けられている。背凭れロック機構２４は、揺動部材１８６の前後方向の他端（後端）側に前後移動自在に保持されたロック片１９８と、底壁１６の後端部に下方突設されたストッパー片１９９とを有している。
ロック片１９８は操作部２０１と摺動板部２０２とをＬ字状に有し、摺動板部２０２を連結体１８９上に配置すると共に挿通孔１９１に前後移動自在に挿入し、これによりロック片１９８はストッパー片１９９に下側から接当して嵌合凸部２８を嵌合凹部２７に嵌合した状態にロックするロック位置Ｒと、ストッパー片１９９から外れて嵌合凸部２８が嵌合凹部２７から出退移動するのを許容するロック解除位置Ｓとに移動自在保持されている。従って、背凭れロック機構２４は、ロック片１９８の操作によってロック状態とロック解除状態とに片手で切り換え操作可能である。
【００７５】
ロック片１９８の前端には抜止凸部２０３が設けられると共にロック用バネ部材２０４が一体にハの字状に突設されており、ロック用バネ部材２０４が上方突出部１９３に接当することにより、ロック片１９８はロック用バネ部材２０４によりロック位置Ｒ側に向けて付勢され、ロック片１９８をロック用バネ部材２０４の付勢に抗してロック解除位置Ｓ側に移動したとき、図３１に示すようにロック用バネ部材２０４の付勢力によりロック片１９８がストッパー片１９９の前側の側壁面に押圧接当してロック片１９８がロック解除位置Ｓ側に保持されるように構成されている。
【００７６】
揺動部材１８６の係合溝１９４に係合用バネ部材２０５が係合保持され、係合用バネ部材２０５の先端部が底壁１６の下面に接当することにより、嵌合凸部２８が嵌合凹部２７に向けて移動する方向に揺動部材１８６を付勢している。
前記揺動部材１８６、ロック片１９８及びロック用バネ部材２０４、係合用バネ部材２０５はそれぞれ合成樹脂により一体成形されている。なお、ロック用バネ部材２０４及び係合用バネ部材２０５は金属片その他で構成してもよい。
【００７７】
上記実施の形態によれば、図２９に示すようにロック片１９８がロック位置Ｒにあって嵌合凸部２８が嵌合凹部２７に嵌合した状態にロックされている状態から、図３１に示す如くロック片１９８の操作部２０１を前方に押圧すると、ロック片１９８をロック用バネ部材２０４の付勢に抗してロック解除位置Ｓ側に移動したとき、ロック用バネ部材２０４の付勢力によりロック片１９８がストッパー片１９９の側壁面に押圧接当してロック片１９８がロック解除位置Ｓ側に保持される。その後、図３２に示す如く、揺動部材１８６後端部を上方に押圧することにより、揺動部材１８６が横軸１８５廻りに矢印Ｈ方向に揺動し、左右一対の嵌合凸部２８が一対の嵌合凹部２７から外れ、座席本体２の座部１に対して背凭れ体４の底壁１６が前後移動自在になる。
【００７８】
次に、図３２に示す如くロック片１９８がロック解除位置Ｓにあって左右一対の嵌合凸部２８が一対の嵌合凹部２７から外れた状態から、左右一対の嵌合凸部２８を一対の嵌合凹部２７に嵌合するには、例えば揺動部材１８６の前部を上方に押圧すればよく、係合用バネ部材２０５の付勢力によって揺動部材１８６が横軸１８５廻りに矢印Ｉ方向に簡単に揺動し、図２９に示す如くロック片１９８がロック位置Ｒに戻り、嵌合凸部２８が嵌合凹部２７に嵌合した状態になる。
【００７９】
従って、背凭れロック機構２４は、ロック片１９８の操作によってロック状態とロック解除状態とに片手で切り換え操作可能となり、簡単かつ確実にリクライニング調整することができる。しかも、前記実施形態の場合と同様に、リクライニング調整によって背凭れ体４の上部側が大きく揺動せずに済み、幼児が座った自転車用幼児座席の重心の前後変動が小さくなり、自転車用幼児座席を装着した自転車がふらつきにくく安定になる。
【００８０】
なお、図２７〜図３２の実施形態の場合、背凭れ体４の左右一対の背凭れ側壁１７が座席本体２の左右一対の本体側壁１１の外側に配置され、背凭れ体４の底壁１６上に座席本体２の座部１を配置しているが、これに代え、背凭れ体４の左右一対の背凭れ側壁１７を座席本体２の左右一対の本体側壁１１の内側に配置し、座席本体２の座部１上にを背凭れ体４の底壁１６を配置するようにしてもよい。
【００８１】
また、図２７〜図３２の実施形態の場合、座部１の重合面に前後方向に並んで複数の嵌合凹部２７が設けられ、底壁１６に揺動部材１８６が横軸１８５廻りに揺動自在に設けられ、揺動部材１８６の前後方向の一端側に嵌合凸部２８が突設されているが、これに代え、座部１の重合面に前後方向に並んで複数の嵌合凸部２８を設け、底壁１６に揺動部材１８６を横軸１８５廻りに揺動自在に設け、揺動部材１８６の前後方向の一端側に嵌合凹部２７を突設するようにしてもよい。
【００８２】
図３３及び図３４は本願発明とは異なる自転車用幼児座席の発明を開示するものである。背凭れ体４の底壁１６の下面にＬ字状に突出した支持腕１４７が設けられ、座席本体２の座部１下面に左右一対の支持筒体１４８が設けられ、支持腕１４７の基部の両側に支持筒体１４８が配置され、支持腕１４７の基部及び支持筒体１４８に支持軸１４９が挿入されており、背凭れ体４の下部側が座席本体２の座部１に対して支持軸１４９廻りに前後揺動自在に支持されている。背凭れ体４の背凭れ側壁１７に上部側に支持軸１４９を支点とする円弧状の長孔１５１が設けられ、支持軸体１５２を長孔１５１と座席本体２の取付孔１５３に挿通保持することにより、背凭れ体４の上部側が長孔の範囲で支持軸体１５２廻りに揺動自在に保持されている。
【００８３】
そして、座部１と底壁１６との間であって支持軸１４９と同心に、背凭れ体４の支持軸１４９廻りの回動トルクを制動する回動ダンパ１５５が設けられている。また、支持腕１４７の前部と座部１との間にコイルバネ１５６が設けられ、コイルバネ１５６により背凭れ体４を支持軸１４９廻りに前側に揺動するように付勢している。而して、背凭れ体４が支持軸１４９廻りに回動ダンパ１５５及びコイルバネ１５６の付勢力によって弾性的にリクライニング（フリーリクライニング）するように構成されている。
【００８４】
図３５及び図３６は本願発明とは異なる他の自転車用幼児座席の発明を開示するものである。背凭れ体４の底壁１６の下面に左右一対の支持筒体１５８が設けられ、座部１下面の中央部に支持筒体１５９が設けられ、一対の支持筒体１５８間に底壁１６の支持筒体１５９が配置され、左右一対の支持筒体１５８の一方に回動ダンパ１５５が収納保持され、底壁１６の他方の支持筒体１５８及び座部１の支持筒体１５９に支持軸１４９が挿入されると共に支持軸１４９に回動ダンパ１５５が連結されて、背凭れ体４の下部側が座席本体２の座部１に対して支持軸１４９廻りに前後揺動自在に支持されると共に回動ダンパ１５５で背凭れ体４の支持軸１４９廻りの回動トルクを制動するように構成されている。
【００８５】
座席本体２の本体側壁１１の上部側に支持軸１４９を支点とする円弧状の長孔１５１が設けられ、背凭れ体４の背凭れ側壁１７に取付孔１５３が設けられ、背凭れ側壁１７の取付孔１５３と本体側壁１１の長孔１５１とに支持軸体１５２が挿入されて支持軸体１５２の挿入端部に抜止体１６１が装着され、これにより、背凭れ体４の上部側が座席本体２に対して長孔１５１の範囲で支持軸１４９廻りに揺動自在に保持されている。本体側壁１１の長孔１５１前方に連結軸１６２が外方突設され、連結軸１６２と支持軸体１５２との間にコイルバネ１６３を連結することにより、コイルバネ１６３により背凭れ体４を支持軸１４９廻りに前側に揺動するように付勢している。而して、背凭れ体４が支持軸１４９廻りに回動ダンパ１５５及びコイルバネ１６３の付勢力によって弾性的にリクライニング（フリーリクライニング）するように構成されている。なお、保護カバー１６５によりコイルバネ１６３の外側方を覆っている。
【００８６】
なお、前記図１〜図２４の実施の形態では、背凭れ体４の左右一対の背凭れ側壁１７が座席本体２の左右一対の本体側壁１１の内側に配置されて、座席本体２の左右一対の本体側壁１１の後部と背凭れ体４の左右一対の背凭れ側壁１７の前部とが左右に重合され、座席本体２の座部１上に背凭れ体４の底壁１６が配置されて、座席本体２の座部１と背凭れ体４の底壁１６とが支軸２０を支点とする円弧状に湾曲した重合面で互いに前後移動自在に重合されているが、これに代え、背凭れ体４の左右一対の背凭れ側壁１７を座席本体２の左右一対の本体側壁１１の外側に配置して、座席本体２の左右一対の本体側壁１１と背凭れ体４の左右一対の背凭れ側壁１７とを左右に重合するようにしてもよいし、また、背凭れ体４の底壁１６上に座席本体２の座部１を配置して、座席本体２の座部１と背凭れ体４の底壁１６とが支軸２０を支点とする円弧状に湾曲した重合面で互いに前後移動自在に重合するようにしてもよい。また、この場合、背凭れ操作具２５を座席本体２の座部１の下面側に設けることに代えて、背凭れ操作具２５を背凭れ体４の底壁１６の下面側に設けるようにしてもよい。
【００８７】
また、前記実施形態では、背凭れ係合機構２３による係合を背凭れ操作具２５で解除操作し、背凭れ係合機構２３による係合は例えば付勢部材３５の付勢によりなすように構成しているが、これに代え、付勢部材３５等を省略して、背凭れ操作具２５の手動操作によって背凭れ係合機構２３による係合をなすようにしてもよい。例えば、図１〜図１９の実施形態では、付勢部材３５を省略し、背凭れ操作具２５を下方に引っ張ることにより、嵌合凸部２８を嵌合凹部２７から外し、背凭れ操作具２５を上方に押圧することにより、嵌合凸部２８を嵌合凹部２７に嵌合させるようにしてもよい。
【００８８】
また、前記図１〜図１９の実施形態では、座席本体２の座部１側に嵌合凸部２８が設けられ、背凭れ体４の底壁１６側に嵌合凹部２７が設けられているが、これに代え、座席本体２の座部１側に嵌合凹部２７を設け、背凭れ体４の底壁１６側に嵌合凸部２８を設けるようにしてもよい。また、収納部２９及び支持ブロック３２を座席本体２の座部１側に代えて、収納部２９及び支持ブロック３２を背凭れ体４の底壁１６側に設けるようにしてもよい。
【符号の説明】
【００８９】
１    座部
２    座席本体
３    背凭れ部
４    背凭れ体
５    ヘッドレスト
１１    本体側壁
１２    足下げ用開口
１３    仕切り壁
１６    底壁
１７    背凭れ側壁
２０    支軸
２１    座席側壁
２３    背凭れ係合機構
２４    背凭れロック機構
２５    背凭れ操作具
２７    嵌合凹部
２８    嵌合凸部
２９    収納部
３２    支持ブロック
３５    付勢部材
３７    係止凹部
３８    ロック部材
５１    シートベルト
５２    ベルト巻取具
５３    連結ベルト
５４    雄部材
５５    雌部材
５６    収納凹部
５８    巻取ケース
５９    巻取用回転体
６２    巻取バネ
６５    ラチェット機構
６６    回転ロック機構
６７    ラチェット操作具
６８    ラチェット用歯車
６９    ラチェット爪
７０    爪構成部材
７１    ラチェット用バネ
７４    ロック部材
８５    ハンドル
８６    挟持レール
８７    嵌合体
８８    挿通孔
８９    支持筒体
９０    支持軸体
９３    変形部
９４    回動操作体
１８５    横軸
１８６    揺動部材
１９８    ロック片
１９９    ストッパー片
２０４    ロック用バネ部材
２０５    係合用バネ部材
【図１】
2010269780.tif 000003
【図２】
2010269780.tif 000004
【図３】
2010269780.tif 000005
【図４】
2010269780.tif 000006
【図５】
2010269780.tif 000007
【図６】
2010269780.tif 000008
【図７】
2010269780.tif 000009
【図８】
2010269780.tif 000010
【図９】
2010269780.tif 000011
【図１０】
2010269780.tif 000012
【図１１】
2010269780.tif 000013
【図１２】
2010269780.tif 000014
【図１３】
2010269780.tif 000015
【図１４】
2010269780.tif 000016
【図１５】
2010269780.tif 000017
【図１６】
2010269780.tif 000018
【図１７】
2010269780.tif 000019
【図１８】
2010269780.tif 000020
【図１９】
2010269780.tif 000021
【図２０】
2010269780.tif 000022
【図２１】
2010269780.tif 000023
【図２２】
2010269780.tif 000024
【図２３】
2010269780.tif 000025
【図２４】
2010269780.tif 000026
【図２５】
2010269780.tif 000027
【図２６】
2010269780.tif 000028
【図２７】
2010269780.tif 000029
【図２８】
2010269780.tif 000030
【図２９】
2010269780.tif 000031
【図３０】
2010269780.tif 000032
【図３１】
2010269780.tif 000033
【図３２】
2010269780.tif 000034
【図３３】
2010269780.tif 000035
【図３４】
2010269780.tif 000036
【図３５】
2010269780.tif 000037
【図３６】
2010269780.tif 000038